(57)【要約】【課題】  外箱内に装填された中箱を取出し容易にすること。【解決手段】  外箱１０内に複数個の中箱２０を隙間なく装填する包装箱組立体１であって、中箱２０の箱本体３０と蓋フラップ４２、４３の折線部３１Ａ、３２Ａに連設する取出し用突片５１、５２を設け、外箱１０内に装填された中箱２０の蓋上に取出し用突片５１、５２を折り上げてなるもの。【選択図】  図２
2005187045.tif 000002
【特許請求の範囲】
【請求項１】
外箱内に複数個の中箱を隙間なく装填する包装箱組立体であって、中箱の箱本体と蓋フラップの折線部に連設する取出し用突片を設け、外箱内に装填された中箱の蓋上に取出し用突片を折り上げてなる包装箱組立体。
【請求項２】
前記取出し用突片が、蓋フラップの一部を切り起こしたものである請求項１に記載の包装箱組立体。
【請求項３】
前記取出し用突片が、箱本体の一部を切り起こしたものである請求項１に記載の包装箱組立体。
【請求項４】
前記取出し用突片が、箱本体と蓋フラップの相対する折線部のそれぞれに連設する一対の取出し用突片からなる請求項１〜３のいずれかに記載の包装箱組立体。
【請求項５】
請求項１〜４のいずれかに記載の中箱。
【発明の詳細な説明】
【技術分野】
【０００１】
本発明は包装箱組立体に関する。
【背景技術】
【０００２】
包装箱組立体として、特許文献１に記載の如く、外箱内に複数個の中箱を隙間なく装填するに際し、中箱の箱本体に一体に設けた蓋フラップの付け根に近接する位置に取出し用孔を形成するための易破断部を設けるものが開示されている。外箱に装填された中箱の取出し時に、蓋フラップの易破断部を破って取出し用孔を形成し、この取出し用孔に指を差し入れることにて、該中箱を上方に引き出し可能にするものである。
【特許文献１】特許2554611
【発明の開示】
【発明が解決しようとする課題】
【０００３】
特許文献１の包装箱組立体では以下の問題点がある。
(1)中箱の取出し時に、蓋フラップの易破断部を破る作業が必要になる。
(2)蓋フラップの易破断部を破る手指等が、中箱の収容物に触れてこれを損傷するおそれがある。
【０００４】
(3)中箱の収容物が蓋フラップの天面にまで充満している場合には、手指で易破断部を突き破ることに困難がある。たとえ易破断部を破って取出し用孔を形成したとしても、収容物が邪魔になり、取出し用孔に指を差し入れることに困難がある。
【０００５】
本発明の課題は、外箱内に装填された中箱を取出し容易にすることにある。
【課題を解決するための手段】
【０００６】
請求項１の発明は、外箱内に複数個の中箱を隙間なく装填する包装箱組立体であって、中箱の箱本体と蓋フラップの折線部に連設する取出し用突片を設け、外箱内に装填された中箱の蓋上に取出し用突片を折り上げてなるようにしたものである。
【発明を実施するための最良の形態】
【０００７】
（実施例１）（図１、図２）
実施例１の包装箱組立体１は、図１に示す如く、外箱１０内に複数個（本実施例では４個）の中箱２０を隙間なく装填したものである。外箱１０は、箱本体１１に４個の中箱２０を挿入し、箱本体１１に設けた蓋体（不図示）によりこれを封止する。図１は、外箱１０の蓋体を開封した状態を示す。
【０００８】
中箱２０は、図２に示す如く、箱本体３０と蓋体４０とを有する。中箱２０は、箱本体３０及び蓋体４０の全体を紙製とするものであるが、プラスチック製とするものでも良い。
【０００９】
箱本体３０は、相対する正面板３１と背面板３２、及び相対する両側板３３、３４を四角枠状に連設した胴部３０Ａと、それらの正面板３１、背面板３２、側板３３、３４の少なくとも一部に連設した底板からなる底部（不図示）とを有する。箱本体３０は、複数個の小箱又はパウチ等を収容物として収容可能にする。
【００１０】
蓋体４０は、側板３３に折線部３３Ａを介して連設する外フラップ４１と、正面板３１、背面板３２のそれぞれに折線部３１Ａ、３２Ａを介して連設する内フラップ４２、４３を有する。蓋体４０は、内フラップ４２、４３を箱内に折込み、それら内フラップ４２、４３の上に外フラップ４１を折込み、外フラップ４１の先端差込み片４１Ａを側板３４の内側に差し込み、箱本体３０の内容物を封止可能にする。
【００１１】
中箱２０は、図２（Ａ）に示す如く、箱本体３０の正面板３１、背面板３２のそれぞれと、蓋体４０の内フラップ４２、４３のそれぞれとの、相対する折線部３１Ａ、３２Ａの中央部にそれぞれに連設する一対の取出し用突片５１、５２を設ける。取出し用突片５１は、内フラップ４２の一部を切欠き、これを折線部３１Ａに連設させる状態で切り起こしたものであり（図２（Ｃ））、内フラップ４２に切欠孔５１Ａを生ずる。取出し用突片５２は、内フラップ４３の一部を切欠き、これを折線部３２Ａに連設させる状態で切り起こしたものであり（図２（Ｃ））、内フラップ４３に切欠孔５２Ａを生ずる。
【００１２】
中箱２０は、外箱１０の箱本体１１への装填状態で、図１、図２（Ｂ）に示す如く、蓋体４０の外フラップ４１の上面に、取出し用突片５１、５２を折り上げ、外箱１０の蓋体により封止される。尚、中箱２０が外箱１０の蓋体に封止された状態で、取出し用突片５１、５２は、中箱２０の蓋体４０の外フラップ４１の上面に折り伏せられて外箱１０に収容される。
【００１３】
本実施例によれば以下の作用効果を奏する。
(a)外箱１０に装填された中箱２０の取出しに際し、外箱１０を開封すると、折り上げられている該中箱２０の取出し用突片５１、５２が外界に臨むものになる。この取出し用突片５１、５２を図２（Ｃ）に示す如くに立上げてこれを持ち上げれば、該取出し用突片５１、５２が箱本体３０と内フラップ４２、４３の折線部３１Ａ、３２Ａを介して一体化されている中箱２０の全体が上方に引き出されるものになる。
【００１４】
(b)中箱２０の取出し時に、該中箱２０に予め設けられている取出し用突片５１、５２を単に立上げてこれを持ち上げるだけで中箱２０の全体を外箱１０から引き出しできる。
【００１５】
(c)取出し用突片５１、５２は中箱２０の蓋上に予め折り上げられており、中箱２０の収容物に損傷を与えるおそれがない。
【００１６】
(d)中箱２０の収容物が蓋フラップ４１〜４３の天面にまで充満していても、これが取出し用突片５１、５２の形成、使用の障害になるところは一切ない。
【００１７】
(e)内フラップ４２、４３の一部を切り起こし、箱本体３０と内フラップ４２、４３の折線部３１Ａ、３２Ａに連設する取出し用突片５１、５２は、該折線部３１Ａ、３２Ａを介して直に箱本体３０につながる。従って、取出し用突片５１、５２に付与される持ち上げ力は、内フラップ４２、４３を介さずに、箱本体３０に及び、内フラップ４２、４３の強度に関係なく、中箱２０の全体を確実に引き出し可能にする。
【００１８】
(f)箱本体３０と内フラップ４２、４３の相対する折線部３１Ａ、３２Ａのそれぞれに、一対の取出し用突片５１、５２を連設することにより、中箱２０の両側にて立上げられる一対の取出し用突片５１、５２を持ち上げることにて、中箱２０の全体を外箱１０から安定的に引き出しできる。
【００１９】
(g)中箱２０は、取出し用突片５１、５２の形成のために内フラップ４２、４３に切欠孔５１Ａ、５２Ａを生ずるが、これらの切欠孔５１Ａ、５２Ａは内フラップ４２、４３を覆う外フラップ４１により外界に対し閉塞される。従って、中箱２０は、外箱１０への装填状態にあっても、外箱１０からの取出し時にも、切欠孔５１Ａ、５２Ａからのゴミ等の侵入を生じない。
【００２０】
(h)中箱２０が外箱１０に収容されている状態では、取出し用突片５１、５２が中箱２０の蓋体の上に折り伏せられているため、外箱１０は容積を変えることなく取出し用突片５１、５２を備える中箱２０を収容することができる。
【００２１】
(i)中箱２０は、取出し用突片５１、５２を内フラップ４２、４３の中央位置に設けるから、取出し用突片５１、５２に付与される持ち上げ力は、箱本体３０の正面と背面に均等に及び、中箱２０全体の外箱１０からの安定した引き出しを可能にする。
【００２２】
（実施例２）（図３）
実施例２が実施例１と異なる点は、中箱２０が、図３（Ａ）に示す如く、箱本体３０の正面板３１、背面板３２のそれぞれと、蓋体４０の内フラップ４２、４３のそれぞれとの、相対する折線部３１Ａ、３２Ａの中央部にそれぞれに連設する一対の取出し用突片６１、６２を設けるに際し、取出し用突片６１、６２のそれぞれを正面板３１、背面板３２のそれぞれの一部から切り起こしたことにある（図３（Ｃ））。即ち、取出し用突片６１は、正面板３１の一部を切欠き、これを折線部３１Ａに連設させる状態で切り起こしたものであり、正面板３１に切欠孔６１Ａを生ずる。取出し用突片６２は、背面板３２の一部を切欠き、これを折線部３２Ａに連設させる状態で切り起こしたものであり、背面板３２に切欠孔６２Ａを生ずる。
【００２３】
中箱２０は、外箱１０の箱本体１１への装填状態で、図１と実質的に同様に、図３（Ｂ）に示す如く、蓋体４０の外フラップ４１の上面に、取出し用突片６１、６２を折り上げ、外箱１０の蓋体により封止される。尚、中箱２０が外箱１０の蓋体に封止された状態で、取出し用突片６１、６２は、中箱２０の蓋体４０の外フラップ４１の上面に折り伏せられて外箱１０に収容される。
【００２４】
本実施例によれば以下の作用効果を奏する。
(a)外箱１０に装填された中箱２０の取出しに際し、外箱１０を開封すると、折り上げられている該中箱２０の取出し用突片６１、６２が外界に臨むものになる。この取出し用突片６１、６２を図３（Ｃ）に示す如くに立上げてこれを持ち上げれば、該取出し用突片６１、６２が箱本体３０と内フラップ４２、４３の折線部３１Ａ、３２Ａを介して一体化されている中箱２０の全体が上方に引き出されるものになる。
【００２５】
(b)中箱２０の取出し時に、該中箱２０に予め設けられている取出し用突片６１、６２を単に立上げてこれを持ち上げるだけで中箱２０の全体を外箱１０から引き出しできる。
【００２６】
(c)取出し用突片６１、６２は、中箱２０の蓋上に予め折り上げられており、中箱２０の収容物に損傷を与えるおそれがない。
【００２７】
(d)中箱２０の収容物が蓋フラップ４１〜４３の天面にまで充満していても、これが取出し用突片６１、６２の形成、使用の障害になるところは一切ない。
【００２８】
(e)箱本体３０と内フラップ４２、４３の相対する折線部３１Ａ、３２Ａのそれぞれに、一対の取出し用突片６１、６２を連設することにより、中箱２０の両側にて立上げられる一対の取出し用突片６１、６２を持ち上げることにて、中箱２０の全体を外箱１０から安定的に引き出しできる。
【００２９】
(f)中箱２０は、取出し用突片６１、６２の形成のために正面板３１、背面板３２に切欠孔６１Ａ、６２Ａを生ずる。中箱２０は、外箱１０への装填状態では、正面板３１、背面板３２の切欠孔６１Ａ、６２Ａを外箱１０の側壁及び相隣る他の中箱２０の箱本体３０により閉塞される。また、外箱１０から取出した状態では、取出し用突片６１、６２を正面板３１、背面板３２の切欠孔６１Ａ、６２Ａ内に折り戻し、切欠孔６１Ａ、６２Ａを閉塞できる。
【００３０】
(g)中箱２０が外箱１０に収容されている状態では、取出し用突片６１、６２が中箱２０の蓋体の上に折り伏せられているため、外箱１０は容積を変えることなく取出し用突片６１、６２を備える中箱２０を収容することができる。
【００３１】
(h)中箱２０は、取出し用突片６１、６２を正面板３１、背面板３２の中央位置に設けるから、取出し用突片６１、６２に付与される持ち上げ力は、箱本体３０の正面と背面に均等に及び、中箱２０全体の外箱１０からの安定した引出しを可能にする。
【００３２】
（実施例３）（図４、図５）
実施例３が実施例１と異なる点は、中箱２０が、図５（Ａ）に示す如く、箱本体３０の側板３３と、蓋体４０の外フラップ４１との折線部３３Ａに連設する取出し用突片７１を設けたことにある。取出し用突片７１は、外フラップ４１の一部を切欠き、これを折線部３３Ａに連設させる状態で切り起こしたものであり（図５（Ｃ））、外フラップ４１に切欠孔７１Ａを生ずる。
【００３３】
中箱２０は、外箱１０の箱本体１１への装填状態で、図４、図５（Ｂ）に示す如く、蓋体４０の外フラップ４１の上面に、取出し用突片７１を折り上げ、外箱１０の蓋体により封止される。尚、中箱２０が外箱１０の蓋体に封止された状態で、取出し用突片７１は、中箱２０の蓋体４０の外フラップ４１の上面に折り伏せられて外箱１０に収容される。
【００３４】
本実施例によれば以下の作用効果を奏する。
(a)外箱１０に装填された中箱２０の取出しに際し、外箱１０を開封すると、折り上げられている該中箱２０の取出し用突片７１が外界に臨むものになる。この取出し用突片７１を図５（Ｃ）に示す如くに立上げてこれを持ち上げれば、該取出し用突片７１が箱本体３０と外フラップ４１の折線部３３Ａを介して一体化されている中箱２０の全体が上方に引き出されるものになる。
【００３５】
(b)中箱２０の取出し時に、該中箱２０に予め設けられている取出し用突片７１を単に立上げてこれを持ち上げるだけで中箱２０の全体を外箱１０から引き出しできる。
【００３６】
(c)取出し用突片７１は、中箱２０の蓋上に予め折り上げられており、中箱２０の収容物に損傷を与えるおそれがない。
【００３７】
(d)中箱２０の収容物が蓋フラップ４１〜４３の天面にまで充満していても、これが取出し用突片７１の形成、使用の障害になるところは一切ない。
【００３８】
(e)外フラップ４１の一部を切り起こし、箱本体３０と外フラップ４１の折線部３３Ａに連設する取出し用突片７１は、該折線部３３Ａを介して直に箱本体３０につながる。従って、取出し用突片７１に付与される持ち上げ力は、外フラップ４１を介さずに、箱本体３０に及び、外フラップ４１の強度に関係なく、中箱２０の全体を確実に引き出し可能にする。
【００３９】
(f)中箱２０は、取出し用突片７１の形成のために外フラップ４１に切欠孔７１Ａを生ずるが、この切欠孔７１Ａは該切欠孔７１Ａに折り戻される取出し用突片７１により外界に対し閉塞される。従って、中箱２０は、外箱１０への装填状態にあっても、外箱１０からの取出し時にも、切欠孔７１Ａからのゴミ等の侵入を生じない。
【００４０】
(g)中箱２０が外箱１０に収容されている状態では、取出し用突片７１が中箱２０の蓋体の上に折り伏せられているため、外箱１０は容積を変えることなく取出し用突片７１を備える中箱２０を収容することができる。
【００４１】
（実施例４）（図６）
実施例４が実施例１と異なる点は、中箱２０が、図６（Ａ）に示す如く、箱本体３０の側板３３と、蓋体４０の外フラップ４１との折線部３３Ａに連設する取出し用突片８１を設けたことにある。取出し用突片８１は、側板３３の一部を切欠き、これを折線部３３Ａに連設させる状態で切り起こしたものであり（図６（Ｃ））、側板３３に切欠孔８１Ａを生ずる。
【００４２】
中箱２０は、外箱１０の箱本体１１への装填状態で、図６（Ｂ）に示す如く、蓋体４０の外フラップ４１の上面に、取出し用突片８１を折り上げ、外箱１０の蓋体により封止される。尚、中箱２０が外箱１０の蓋体に封止された状態で、取出し用突片８１は、中箱２０の蓋体４０の外フラップ４１の上面に折り伏せられて外箱１０に収容される。
【００４３】
本実施例によれば以下の作用効果を奏する。
(a)外箱１０に装填された中箱２０の取出しに際し、外箱１０を開封すると、折り上げられている該中箱２０の取出し用突片８１が外界に臨むものになる。この取出し用突片８１を図６（Ｃ）に示す如くに立上げてこれを持ち上げれば、該取出し用突片８１が箱本体３０と外フラップ４１の折線部３３Ａを介して一体化されている中箱２０の全体が上方に引き出されるものになる。
【００４４】
(b)中箱２０の取出し時に、該中箱２０に予め設けられている取出し用突片８１を単に立上げてこれを持ち上げるだけで中箱２０の全体を外箱１０から引き出しできる。
【００４５】
(c)取出し用突片８１は、中箱２０の蓋上に予め折り上げられており、中箱２０の収容物に損傷を与えるおそれがない。
【００４６】
(d)中箱２０の収容物が蓋フラップ４１〜４３の天面にまで充満していても、これが取出し用突片８１の形成、使用の障害になるところは一切ない。
【００４７】
(e)中箱２０は、取出し用突片８１の形成のために側板３３に切欠孔８１Ａを生ずる。中箱２０は、外箱１０への装填状態では、側板３３の切欠孔８１Ａを外箱１０の側壁及び相隣る他の中箱２０の箱本体３０により閉塞される。また、外箱１０から取出した状態では、取出し用突片８１を側板３３の切欠孔８１Ａ内に折り戻し、切欠孔８１Ａを閉塞できる。
【００４８】
(f)中箱２０が外箱１０に収容されている状態では、取出し用突片８１が中箱２０の蓋体の上に折り伏せられているため、外箱１０は容積を変えることなく取出し用突片８１を備える中箱２０を収容することができる。
【図面の簡単な説明】
【００４９】
【図１】図１は実施例１の包装箱組立体の外箱を開封した平面図である。
【図２】図２は実施例１の中箱を示す斜視図である。
【図３】図３は実施例２の中箱を示す斜視図である。
【図４】図４は実施例３の包装箱組立体の外箱を開封した平面図である。
【図５】図５は実施例３の中箱を示す斜視図である。
【図６】図６は実施例４の中箱を示す斜視図である。
【符号の説明】
【００５０】
１  包装箱組立体
１０  外箱
２０  中箱
３０  箱本体
３１Ａ、３２Ａ、３３Ａ  折線部
４１  外フラップ（蓋フラップ）
４２、４３  内フラップ（蓋フラップ）
５１、５２、６１、６２、７１、８１  取出し用突片
【図１】
2005187045.tif 000003
【図２】
2005187045.tif 000004
【図３】
2005187045.tif 000005
【図４】
2005187045.tif 000006
【図５】
2005187045.tif 000007
【図６】
2005187045.tif 000008